(57)【特許請求の範囲】
【請求項１】
容器本体の口部に螺合する外筒部と、
前記外筒部の内側に位置する有底筒状の内筒部と、
前記外筒部と前記内筒部の筒状壁との間を閉じる環状壁と、
前記環状壁の内面に突条に形成された環状シール部と、を備え、
前記内筒部は、前記筒状壁の一部に形成された横断面Ｖ字状に屈曲した注出部を有し、
前記内筒部の前記筒状壁は、前記横断面Ｖ字状の注出部以外の部分に、横断面円弧状の円筒状部を有し、
前記横断面Ｖ字状の注出部は、前記筒状壁の前記横断面円弧状の円筒状部の外接円の径内に収まる大きさに形成されている計量キャップ。
【請求項２】
前記筒状壁の一部に形成された横断面Ｖ字状の注出部は、連続する平坦な２面を有し、前記平坦な２面の端部と前記円筒状部の端部とが連続している請求項１記載の計量キャップ。
【請求項３】
前記筒状壁の一部に連続する２つの内側に凹んだ湾曲部により横断面略Ｖ字形状の注出部を形成している請求項１又は２記載の計量キャップ。
【請求項４】
前記筒状壁の一部に連続する２つの外側に突出した湾曲部により横断面略Ｖ字形状の注出部を形成している請求項１又は２記載の計量キャップ。
【請求項５】
前記横断面Ｖ字状の注出部の角度は、５０°〜１５０°の範囲内である請求項１〜４記載の計量キャップ。
【請求項６】
液体を収容する容器本体と、前記容器本体の口部に着脱自在に取り付けられる請求項１〜５記載の計量キャップを備えた液体容器。
【請求項７】
前記容器本体に収容され前記液体は、２５℃の粘度が１００〜１０００ｍＰａ・ｓである請求項６記載の液体容器。
【請求項８】
前記容器本体に収容された前記液体は、液体洗剤又は液体柔軟剤である請求項６又は７記載の液体容器。
【請求項９】
前記請求項１〜６記載の計量キャップと２５℃の粘度が１００〜１０００ｍＰａ・ｓである液体を収容してなる容器本体とを備える液体容器。
【請求項１０】
前記請求項６〜９記載の液体容器と液体洗浄又は液体柔軟剤とからなる容器入りの液体洗剤。
【発明の詳細な説明】
【技術分野】
【０００１】
本発明は、液体洗剤、液体柔軟剤、漂白剤等の液体を収容した容器本体に蓋として着脱自在に装着され、容器本体内の液体を計量し、あるいは少量ずつ塗布使用するために用いられる計量キャップ及び液体容器、容器入りの液体洗剤に関する。
【背景技術】
【０００２】
液体洗剤、液体柔軟剤、漂白剤等の液体を収容した容器本体に蓋として装着されると共に、容器本体内の液体を計量し、あるいは適量を取り分け、少量ずつ塗布使用するなどのために用いられる計量キャップがある。この計量キャップの使用方法としては、まず、その計量キャップへ容器本体から液体を注出し、計量キャップから例えば洗濯槽へ液体を移す、あるいは計量キャップに移した液体を洗い物の汚れ部位等へ付着させる。このような計量キャップは、液体の計量を容易にし、また計量したキャップ内の液体を少量ずつ移すために、計量キャップの内筒部と外筒部とを有する二重構造とし、内筒部の筒壁の下端に外鍔状のフランジ片を設けたり、内筒部と外筒部の高さを調整したものがある（例えば、特許文献１，２参照。）。
【０００３】
また、計量部の底側部を多角形状にし、一方入出部（開口側）は内面を多角形状にすることで、計量し易くかつ移し易くした計量キャップがある（例えば、特許文献３参照）。
【先行技術文献】
【特許文献】
【０００４】
【特許文献１】特開平８−４８３４８号公報（図１）
【特許文献２】特開２００１−１７１７０４号公報
【特許文献３】特開２０００−６２８１７号公報（図４）
【発明の概要】
【発明が解決しようとする課題】
【０００５】
しかしながら、前記特許文献１、２の計量キャップは、液体が注出される内筒部が円筒状等に形成されているために、洗い物の汚れ部位等に液体を滴下したり、塗布しようとすると、洗い物の汚れ部位等の周囲にも大量の液体が流出して、洗い物の汚れ部位等の部分にのみ液体を適量注出することが難しかった。また、前記特許文献３の計量キャップは、内筒部の内面側が六角形であるために、キャップ内の容量が小さくなり、多量の液を計量するにはキャップを大きくするか、又は複数回の計量が必要になる。また、入出部の内面側が六角形で角のある頂部を有しているものの、外面形状は円形となっているため、洗い物の汚れ部位等の目的箇所へ少量ずつ注出することが難しかった。
【０００６】
そこで、本発明は、前記した課題を解決すべくなされたものであり、液体の粘度が高い場合でも、洗い物の汚れ部位等の部分にのみ液体を簡単かつ確実に注出することができる計量キャップ及び液体容器、容器入りの液体洗剤を提供することを目的とする。
【課題を解決するための手段】
【０００７】
本発明は、内筒部に部分的に横断面略Ｖ字状の注出部を設け、計量キャップから注出される液体が洗い物の汚れ部位等の部分にのみ注出できるため、洗い物の汚れ部位等の部分に適量の液体を簡単かつ確実に付着させることができる。また、横断面略Ｖ字状の注出部は軸方向に平坦な２面を形成しているので、計量目盛の見えやすさが向上する。
【０００８】
即ち、本発明は、容器本体の口部に螺合する外筒部と、この外筒部の内側にある有底筒状の内筒部と、これら外筒部と内筒部の筒状壁との間を閉じる環状壁及び該環状壁の内面に突条に形成された環状シール部とを有した計量キャップであって、内筒部の筒状壁の一部に横断面略Ｖ字状に屈曲した注出部が形成され、内筒部の筒状壁は、横断面Ｖ字状の注出部以外の部分に横断面円弧状の円筒状部を有する計量キャップを提供する。また、平坦な２面が連設する横断面略Ｖ字状の注出部とは反対側の端部が横断面略円弧状の円筒状部の端部と連設するので、注出部のＶ字の頂部に向けて液体が注出し易くなる。
【０００９】
また、本発明は、液体を収容する容器本体と、この容器本体の口部に着脱自在に取り付ける上述の計量キャップとを備えた液体容器を提供する。さらに、上述の液体容器と液体洗浄又は液体柔軟剤とからなる容器入りの液体洗剤を提供する。
【発明の効果】
【００１０】
本発明によれば、内筒部に部分的に横断面略Ｖ字状の注出部が設けられているので、使用者が計量キャップの内筒部から液体を注出する際に、少量抽出が可能で、洗い物の汚れ部位等の部分にのみ適量の液体を簡単かつ確実に注出して付着させることができる。また、横断面略Ｖ字状を形成する平面部分を有するので、計量時にキャップ内が見やすくなる。
【図面の簡単な説明】
【００１１】
【図１】本発明の第１の実施形態の計量キャップを示す斜視図である。
【図２】上記キャップを注出部側から見た斜視図である。
【図３】図２中Ｘ−Ｘ線に沿う断面図である。
【図４】上記キャップの注出部を有した内筒部の概略説明図である。
【図５】上記キャップを装着した液体容器の斜視図である。
【図６】上記キャップを取り外した液体容器の容器本体の斜視図である。
【図７】図５中Ｙ−Ｙ線に沿う断面図である。
【図８】容器本体に中栓を介してキャップを装着した他の態様を示す断面図である。
【図９】（ａ）は本発明の第１の実施形態の計量キャップを傾けてその略Ｖ字状の注出部から液体を注出して性能を測定する際の説明図、（ｂ）は比較例の計量キャップを傾けてその丸形状の注出部から液体を注出して性能を測定する際の説明図である。
【図１０】上記各計量キャップの性能評価を比較した説明図である。
【図１１】（ａ）は本発明の第２の実施形態の計量キャップを示す斜視図、（ｂ）は同キャップを注出部側から見た斜視図、（ｃ）は同（ｂ）中Ｘ−Ｘ線に沿う断面図である。
【図１２】本発明の第３の実施形態の計量キャップの注出部を有した内筒部の概略説明図である。
【発明を実施するための形態】
【００１２】
以下、本発明の実施形態を図面に基づいて説明する。
【００１３】
図１は本発明の実施形態の計量キャップを示す斜視図、図２は同キャップを注出部側から見た斜視図、図３は図２中Ｘ−Ｘ線に沿う断面図、図４は同キャップの注出部を有した内筒部の説明図、図５は同キャップを装着した液体容器の斜視図、図６は同キャップを取り外した液体容器の容器本体の斜視図、図７は図５中Ｙ−Ｙ線に沿う断面図、図８は容器本体に中栓を介して計量キャップを装着した他の態様を示す断面図である。
【００１４】
図１〜図３及び図５，図７に示すように、計量キャップ１は、液体Ａを収容する容器本体２０の口部２１に螺合する外筒部２と、この外筒部２の内側に二重筒形態で一体形成されている有底筒状の内筒部３と、これら外筒部２の端部と内筒部３の筒状壁４との間を閉じる環状壁５、及び、環状壁５の内面に突条に一体形成された環状シール部６とを有する。この環状シール部６は、環状リブからなるコンタクト７と、その内側でコンタクト７よりも突出した環状壁からなるインナーリング８とを備えている。
【００１５】
図６及び図７に示すように、液体容器１００の容器本体２０の口部２１には中栓３０が取り付けられており、計量キャップ１の外筒部２を容器本体２０の口部２１に螺合させた場合に、中栓３０の周壁３１の縁部３１ａに上述のコンタクト７が押し当てられると共に、インナーリング８の壁面が中栓３０の周壁３１に当接し、これにより、容器本体２０内が密封されるように各部を配置している。
【００１６】
本発明の液体容器１００において、容器本体２０の口部２１に中栓３０を設けることは必ずしも必要ではないが、容器本体２０から計量キャップ１への液体の注出を容易にすると共に、その注出に伴う液だれを防止する点から、図６に示す容器本体２０のように、嘴状の注出部３２を有し、この注出部３２の基部に液体の戻り孔３３を有する中栓３０を容器本体２０に設けることが好ましい。なお、中栓３０は、図８に示す液体容器１００Ａのように、容器本体２０の口部２１に中栓３０を螺合させて、中栓３０と計量キャップ１Ａとを螺合させても良い。
【００１７】
本発明の計量キャップ１は、外筒部２と内筒部３を有する二重筒形態のキャップであって、内筒部３の筒状壁４が部分的に横断面略Ｖ字状に屈曲することにより一体形成された注出部９を有することを特徴としている。より具体的には、本実施形態の計量キャップ１において、内筒部３の筒状壁４は、その一部が連続する２つの平面部９ａ，９ａで屈曲することにより横断面が略Ｖ字状となり、この部分が当該キャップ１から液体Ａを注出させる際に液体の流路として使用される注出部９となっている。また、図４に示すように、横断面略Ｖ字状の注出部９の連続する２つの平面部９ａ，９ａの角度（θ）は５０°〜１５０°の範囲内に設定されている（好ましくは６０°〜１３０°、特に好ましくは９０°〜１２０°の範囲内）。
【００１８】
さらに、筒状壁４の注出部９の連続する２つの平面部９ａ，９ａはそのＶ字状の頂部９ｂを境にして左右対称に形成してあると共に、容器本体２０の嘴状の注出部３２の大きさの関係により、筒状壁４の横断面略円弧状の円筒状部１０の外接円の径内に収まる大きさに形成されている。
【００１９】
また、計量キャップ１の内筒部３の筒状壁４には、横断面略Ｖ字状の注出部９以外の部分に横断面が略円弧状の円筒状部１０を有している。即ち、この横断面略円弧状の円筒状部１０は、その両端部が、２つの連設する平面部９ａ，９ａの注出部９とは反対の端部に連設されている。そして、円筒状部１０は横断面略円弧状であるので、注出部９を傾けた際に、注出部９のＶ字の頂部９ｂ内に液体Ａが集まりやすくなり、その注出性が向上するようになっている。また、内筒部分を必要以上に大きくしなくても十分な容量を確保できる。
【００２０】
さらに、図１に示すように、内筒部３の筒状壁４は、環状壁５を境にして上下形状が略同一形状に形成されている。すなわち、内筒部３の開口端３ａ側と底部３ｂ側の内筒部３がそれぞれ環状壁５を境にして外筒部２からその軸方向に突出し、開口端３ａ側の内筒部３の筒状壁４の外側形状及び内側形状と、底部３ｂ側の内筒部３の筒状壁４の外形形状及び内側形状とが略同一形状に形成されている。また、内筒部３の筒状壁４は、全周にわたり略均一な肉厚に形成することができる。
【００２１】
さらに、内筒部３の開口端３ａは、液切れをよくするために、横断面略Ｖ字状の注出部９のみ、注出部９を含む連続する２つの平面部９ａ，９ａ、または注出部９及び円筒状部１０の全周に渡り、部分的に外側にアール状に拡がっていても良い。
【００２２】
なお、外筒部２の径は使用者が握り易い大きさに形成してある。また、外筒部２の筒状壁の外表面には、図１，図２に示すように、必要に応じてローレットを形成して滑りにくくすることができる。さらに、図１に示すように、内筒部３には適宜目盛りを付してある。
【００２３】
液体容器１００は、図５に示すように、液体Ａを収容する容器本体２０と、この容器本体２０の口部２１に着脱自在に取り付けられる計量キャップ１とで構成されている。液体Ａとしては、界面活性剤を含んだ液体洗剤、液体柔軟剤、また漂白剤等が上げられる。本発明の計量キャップ１は、液体の物性が低粘度のもだけでなく、特に、糸引きや粘調性等が高く、液切れしにくい場合にも有効であり、例えばこの液体Ａは、２５℃の粘度が５０〜２０００ｍＰａ・ｓ（Ｂ型粘度計、回転数６０ｒｐｍ、ローターＮｏ.３）、特に１００〜１０００ｍＰａ・ｓであることが好ましく、また５℃と２５℃との粘度変化（Ｖｉｓ（５℃）／Ｖｉｓ（２５℃））は１．５以上８以下であることが好ましい。
【００２４】
本実施形態の液体容器１００を使用する場合には、まず、容器本体２０から計量キャップ１の内筒部３内に液体Ａを注出し、次いで、図２に示すように、キャップ１を傾けて液体Ａを例えば洗い物の汚れた部位等に注出する。この際、内筒部３の筒状壁４の一部に、連続する２つの平面部９ａ，９ａにより横断面略Ｖ字状の注出部９が設けられているので、この横断面略Ｖ字状の注出部９のＶ字の頂部９ｂにより少量抽出が可能で、洗い物の汚れ部位等の部分にのみ適量の液体Ａを簡単かつ確実に注出して付着させることができる。
【００２５】
また、この計量キャップ１では、内筒部３の開口端３ａ側と底部３ｂ側がそれぞれ外筒部２からその軸方向に突出し、開口端３ａ側の内筒部３の筒状壁４の外側形状及び内側形状と、底部３ｂ側の内筒部３の筒状壁４の外形形状及び内側形状とが略同一形状に形成されている。したがって、計量キャップ１の使用者は、当該計量キャップ１が容器本体２０に装着されているときから一見して注出部９の形状位置を容易に確認することができる。さらに、計量キャップ１を用いて液体Ａを注出するときには、所定の塗布した箇所に、確実に計量キャップ１の注出部９から液体Ａを少量ずつが注出することができる。また、内筒部３の筒状壁４の内側に付着した液体Ａは、円弧状部から平面部をつたって、その注出部９のＶ字の頂部９ｂに集中することとなり、より確実に液体Ａを集めることが可能となる。さらに、内筒部３の開口端３ａで、筒状部４の外形形状に円弧状部を有するので、容器本体２０に中栓３０が配されている場合には、計量キャップ１の開口端３ａが中栓３０の最下部に溜まった液体Ａを戻り孔３３から回収できる。
【００２６】
次に、図９及び図１０を用いて、本発明の第１の実施形態の計量キャップ１と比較例の計量キャップＫの性能評価を説明する。
【００２７】
＜測定方法＞
計量キャップ１，Ｋ内に液体Ａとしての液体洗剤を入れた状態で、１秒間計量キャップ１，Ｋを水平状態から２０°に傾けた場合の注出液量を測定した。
【００２８】
＜使用キャップ＞
１．計量キャップ１（計量容量：５５ｍｌ、計量部内径：φ３８ｍｍ、注出部９の形状：横断面略Ｖ字状）
２．計量キャップＫ（計量容量：５５ｍｌ、計量部内径：φ３８ｍｍ、注出部Ｌの形状：横断面丸形状）
＜使用液体洗剤＞
１．低粘度液（１０ｍＰａ・ｓ）
２．中粘度液（１７０ｍＰａ・ｓ）
３．高粘度液（５００ｍＰａ・ｓ）
計量容量は各洗剤３０ｇ共通
＜測定結果＞
図１０に示すＺのように、高粘度液の場合、横断面略Ｖ字状の注出部９を有した計量キャップ１の使用液量は２６．５％となり、また、横断面丸形状Ｌを有した計量キャップＫの使用液量は４９％となって、計量キャップ１の使用液量は計量キャップＫの使用液量の約半分（約１／２）となる評価が得られた。
【００２９】
図１１は、本発明の第２の実施形態であり、前記第１の実施形態が内筒部３の筒状壁４の一部に連続する２つの平面部９ａ，９ａにより横断面略Ｖ字状の注出部９を形成したことに対し、内筒部３の筒状壁４の一部に連続する２つの内側に凹んだ湾曲部９ａ′，９ａ′により横断面略Ｖ字状の注出部９′を形成した計量キャップ１Ｂである。この第２の実施形態を用いても、前記第１の実施形態と同様の作用・効果を奏する。
【００３０】
図１２は、本発明の第３の実施形態であり、前記第１の実施形態が内筒部３の筒状壁４の一部に連続する２つの平面部９ａ，９ａにより横断面略Ｖ字状の注出部９を形成したことに対し、内筒部３の筒状壁４の一部に連続する２つの外側に突出した湾曲部９ａ″，９ａ″により横断面略Ｖ字状の注出部９″を形成した計量キャップ１Ｃである。この第３の実施形態を用いても、前記第１の実施形態と同様の作用・効果を奏する。
【００３１】
また、前記各実施形態のキャップ１，１Ａ，１Ｂ，１Ｃや液体容器１００，１００Ａに使用する容器本体２０は、例えば合成樹脂を用いたインジェクション成型法により容易に工業的に製造することができる。
【産業上の利用可能性】
【００３２】
本発明の計量キャップは、界面活性剤を含んだ液体洗剤、液体柔軟剤、または漂白剤等の種々の液体を収容する液体容器の計量キャップであって、所定量の高粘度の液体を容器本体から計り取るため、あるいは、小分けして少量ずつ洗濯物などの被塗布物に塗布するために使用する計量キャップとして有用である。したがって、かかる計量キャップを備えた本発明の液体容器は、界面活性剤を含んだ液体洗剤、液体柔軟剤、または漂白剤等の種々の液体容器として有用となる。
【符号の説明】
【００３３】
１，１Ａ，１Ｂ，１Ｃ  計量キャップ
２  外筒部
３  内筒部
３ａ  開口端
３ｂ  底部
４  筒状壁
５  環状壁
６  環状シール部
９，９′，９″  注出部
１０  円筒状部
２０  容器本体
２１  口部
１００，１００Ａ  液体容器
Ａ  液体
【図１】
0005547837.tif 000002
【図２】
0005547837.tif 000003
【図３】
0005547837.tif 000004
【図４】
0005547837.tif 000005
【図５】
0005547837.tif 000006
【図６】
0005547837.tif 000007
【図７】
0005547837.tif 000008
【図８】
0005547837.tif 000009
【図９】
0005547837.tif 000010
【図１０】
0005547837.tif 000011
【図１１】
0005547837.tif 000012
【図１２】
0005547837.tif 000013